(57)【要約】【課題】報知情報が発せられてから各移動局装置で取得されるまでの時間を短縮するとともに、移動局装置の消費電力を軽減させることができる基地局装置、移動局装置、および報知情報の送受信方法を提供する。【解決手段】データチャネルを使ってユーザデータを送受信するとともに、報知チャネルを使って次回の更新時期情報を含む報知情報を同報送信する。移動局装置側では、報知情報を取得してから次回の更新時期までの間は、報知チャネルを使った報知情報の受信処理を待機することができ、消費電力を軽減することができるとともに、報知情報が更新されてから取得されるまでの時間を短縮することもできる。【選択図】        図９
2010074372.tif 000002
【特許請求の範囲】
【請求項１】
移動局装置との間で無線送受信を行う基地局装置であって、
同報送信する報知情報の更新時間を管理する更新時間管理部と、
前記報知情報の更新時間情報を含む報知情報を報知チャネルを使用して同報送信する報知情報送信部と、
を備えたことを特徴とする基地局装置。
【請求項２】
前記基地局装置はさらに、前記移動局装置との間でデータチャネルを使用してユーザデータを送受信するユーザデータ送受信部を備え、
前記報知情報送信部は、前記報知情報を前記報知チャネルを使用して同報送信するとともに、報知情報の更新時間が到来した時、更新された報知情報を、ユーザデータの送受信期間中にある移動局装置に前記データチャネルを使用して送信することを特徴とする請求項１記載の基地局装置。
【請求項３】
基地局装置との間で無線送受信を行う移動局装置であって、
前記基地局装置との間でデータチャネルを使用してユーザデータを送受信するユーザデータ送受信部と、
前記基地局装置から報知チャネルを使用して送信された、報知情報の更新時間情報を含む報知情報を受信する報知情報受信部と、
前記報知情報受信部で受信された報知情報に含まれる更新時間情報を管理する更新時間管理部とを備え、
前記報知情報受信部は、前記更新時間情報に基づく所定の時間に報知情報の受信を行うことを特徴とする移動局装置。
【請求項４】
前記報知情報受信部は、前記ユーザデータ送受信部によるユーザデータの送受信期間中に報知情報の更新時間が到来した場合、前記ユーザデータの送受信と並行して更新された報知情報の受信を行うことを特徴とする請求項３記載の移動局装置。
【請求項５】
前記報知情報受信部は、ユーザデータの送受信期間中に該ユーザデータの送受信に利用しているデータチャネルを使用して報知情報の送信があったときは、前記データチャネルを使用して送信された報知情報を受信することを特徴とする請求項３記載の移動局装置。
【請求項６】
前記移動局装置はさらに、自局が在圏している基地局装置のエリアから他の基地局装置のエリアに移動したことを検出するエリア移動検出部を備え、
前記報知情報受信部は、前記他の基地局装置のエリアへの移動が検出された場合、前記更新時間管理部で管理されている報知情報の更新時間の到来を待たずに、前記他の基地局装置から送信された報知情報の受信を行うことを特徴とする請求項３から５のうちのいずれか１項記載の移動局装置。
【請求項７】
基地局装置と移動局装置を含む無線通信システムにおける報知情報の送受信方法であって、
前記基地局装置は、
同報送信する報知情報の更新時間を管理し、
前記報知情報の更新時間情報を含む報知情報を同報送信し、
前記移動局装置は、
前記基地局装置から送信された前記報知情報の更新時間情報を含む報知情報を受信し、
前記受信した報知情報に含まれる更新時間情報を管理し、
前記更新時間情報に基づく所定の時間に報知情報の受信を行う、
ことを特徴とする報知情報の送受信方法。
【発明の詳細な説明】
【技術分野】
【０００１】
本発明は、移動局装置、移動局装置との間で無線送受信を行う基地局装置、および報知情報の送受信方法に関する。
【背景技術】
【０００２】
近年、移動局装置には、標準的な通話機能や電子メールの送受信機能などに加えて、被写体を撮影するためのカメラ機能、ウェブサイトを閲覧するためのブラウザ機能、テレビ番組を視聴するためのテレビ機能、音楽や映像などをダウンロードして録音／録画し、好きなときにそれらを再生するためのダウンロード機能などが搭載されている。移動局装置は、単にコミュニケーションを図るための手段にとどまらず、デジタルカメラ、パーソナルコンピュータ、テレビ、音楽／映像再生機の代わりとなる自分専用の多機能端末として幅広い年代に利用されている。
【０００３】
移動局装置では、基地局との間で無線通信が行われることによって、上述した通話機能、電子メールの送受信機能、ブラウザ機能、およびダウンロード機能などが実現される。通常は、相互に離れた複数の基地局それぞれから、所定時間ごとに、各基地局を識別する識別情報がパイロットチャネルを使って同報送信される。移動局装置では、複数の基地局それぞれから送信されてきた識別情報が受信され、それらの電波強度の強い基地局が選択されて、その選択された基地局に向けて登録要求が送信される。基地局では、登録要求を送信してきた移動局装置を登録するとともに、登録した各移動局装置に向けて、所定時間ごとに、発呼要求の有無が示されたページングデータをページングチャネルを使って送信する。また、基地局では、データの送受信要求が発生するごとに、ユーザデータをデータチャネルを使って送受信する。
【０００４】
また、基地局では、新たな基地局の増設などの通知情報や、基地局から送信される情報の受信タイミングや読出方法に関する規定情報等を含む報知情報が報知チャネルを使って同報送信される（例えば、特許文献１および特許文献２参照）。さらに、近年では、緊急地震速報などといった緊急メッセージを報知情報に付加して同報送信することも考えられている（例えば、特許文献３参照）。
【０００５】
ここで、移動局装置は、多機能化に伴って消費電力が増加する一方で、バッテリの持続時間を延ばしたいという要望も強い。しかし、各基地局からパイロットチャネルを使って送信される識別情報、ページングチャネルを使って送信されるページングデータ、および報知チャネルを使って送信される報知情報の全てを定期的に受信して各情報を確認しようとすると、ユーザが移動局装置を使用していなくても、電源が入っているだけで多くの電力が消費されてしまうこととなり、バッテリの持続時間が減少してしまうという問題がある。
【０００６】
この問題に関し、各基地局において、移動局装置で定期的に受信して確認するページングデータに、報知情報が更新されたことを示すメッセージである更新通知を付加して発信する。各移動局装置では、ページングデータに付加された報知情報の更新通知を確認して、報知情報が更新されている場合にのみ、報知チャネルを使って送信されてきた報知情報を受信することが行われている。
【０００７】
図１は、基地局から送信されたページングデータが移動局装置で受信されるシーケンスを示す図である。
【０００８】
基地局では、相対的に短い時間間隔「ｔ１」ごとに、登録されている各移動局装置に向けて、その移動局装置への発呼要求の有無などを示すページングデータが送信される。また、例えば、新たな基地局の設置などによって報知情報が更新された場合には、報知情報の更新通知がページングデータとともに送信される。
【０００９】
各移動局装置では、相対的に長い時間間隔「ｔ２」ごとに、基地局から送られてくるページングデータが受信される。また、ページングデータに報知情報の更新通知が付加されている場合には、基地局から同報送信されている報知情報の受信が行われる。
【特許文献１】特開２０００−２５２９１２号公報
【特許文献２】特開２００２−２４７６５０号公報
【特許文献３】特開平１０−４２３６５号公報
【発明の開示】
【発明が解決しようとする課題】
【００１０】
ここで、図１において、移動局装置で時刻「Ｓ１」に受信されたページングデータには報知情報の更新通知が付加されておらず、その時刻「Ｓ１」よりも後に発信されたページングデータに更新通知が付加されていた場合、更新通知が発せられてから移動局装置側で更新通知が取得される時刻「Ｓ２」までに、最大で時間間隔「ｔ２」程度のタイムラグが発生してしまうという問題がある。このような問題を解決するためには、移動局装置でページングデータを受信する時間間隔「ｔ２」を短縮することが考えられるが、移動局装置の消費電力が増加してしまうという問題がある。
【００１１】
上記問題に鑑み、本件開示の基地局装置、移動局装置、および報知情報の送受信方法の課題は、報知情報が発せられてから各移動局装置で取得されるまでの時間を短縮するとともに、移動局装置の消費電力を軽減させることにある。
【課題を解決するための手段】
【００１２】
本件開示の基地局装置の基本形態は、
可搬型の移動局装置との間で複数のチャネルを使って無線送受信を行う、固定的に設置された基地局装置であって、
移動局装置との間でデータチャネルを使ってユーザデータを送受信する第１のユーザデータ送受信部と、
この基地局装置が担当するエリア内にある複数の移動局装置に向けて同報送信される報知情報の更新時期を管理する更新時期管理部と、
報知情報の次回の更新時期情報を含む報知情報を作成しデータチャネルとは異なる報知チャネルを使って同報送信する報知情報送信部とを備えたことを特徴とする。
【００１３】
この基地局装置の基本形態によると、移動局装置との間でデータチャネルを使ってユーザデータが送受信されるとともに、エリア内にある複数の移動局装置に向けて、次回の更新時期情報を含む報知情報が報知チャネルを使って同報送信される。このため、移動局装置側では、報知情報を取得してから次回の更新時期までの間は、報知チャネルを使った報知情報の受信処理を待機することができ、消費電力を軽減することができる。また、更新時期の到来とともに最新の報知情報を確実に受信することができ、報知情報が更新されてから移動局装置で取得されるまでの時間を短縮することもできる。
【００１４】
また、本件開示の移動局装置の基本形態は、
固定的に設置された基地局装置との間で複数のチャネルを使って無線送受信を行う可搬型の移動局装置であって、
基地局装置との間でデータチャネルを使ってユーザデータを送受信する第２のユーザデータ送受信部と、
基地局装置からデータチャネルとは異なる報知チャネルを使って送信されてきた、次回の更新時期情報を含む報知情報を受信し受信した報知情報に基づく動作を実行する報知情報受信部と、
報知情報受信部で受信された報知情報に含まれる次回の更新時期情報を管理する更新時期管理部とを備え、
報知情報受信部は、報知情報の次回の更新時期の到来を待って、報知情報の受信を行うものであることを特徴とする。
【００１５】
この移動局装置の基本形態によると、次回の更新時期情報を含む報知情報が受信されるため、その更新時期情報が示す次回の更新時期までの間は報知情報の受信を待機することができ、消費電力を抑えることができるとともに、最新の報知情報を素早く取得することができる。
【００１６】
また、本件開示の報知情報の送受信方法の基本形態は、
基地局装置と移動局装置を含む無線通信システムにおける報知情報の送受信方法であって、
基地局装置は、
同報送信する報知情報の更新時間を管理し、
報知情報の更新時間情報を含む報知情報を同報送信し、
移動局装置は、
基地局装置から送信された報知情報の更新時間情報を含む報知情報を受信し、
受信した報知情報に含まれる更新時間情報を管理し、
更新時間情報に基づく所定の時間に報知情報の受信を行う、
ことを特徴とする。
【００１７】
この報知情報の送受信方法の基本形態によると、報知情報が発せられてから各移動局装置で取得されるまでの時間が短縮されるため、移動局装置の消費電力を軽減させることができる。
【発明の効果】
【００１８】
開示の基地局装置、移動局装置、および報知情報の送受信方法によると、報知情報が発せられてから各移動局装置で取得されるまでの時間を短縮するとともに、移動局装置の消費電力を軽減させることができる。
【発明を実施するための最良の形態】
【００１９】
以下、図面を参照して、実施形態を説明する。
【００２０】
図２は、移動局装置および基地局装置を含む通信システムの概略構成図である。
【００２１】
この通信システム１には、移動局装置１０と、通信契約が結ばれている移動局装置１０の電話番号や加入者の氏名および住所などの加入者情報が登録されているホームロケーションレジスタ３０と、移動局装置１０との間で無線通信を行う複数の基地局２０などが備えられている。尚、実際には、通信システム１には、多数の移動局装置１０や基地局２０やホームロケーションレジスタ３０が含まれているとともに、固定電話網やウェブサーバおよびメールサーバなども相互に接続されているが、ここでは図示を省略している。
【００２２】
基地局２０では、所定のタイミングごとに、パイロットチャネルを使って、各基地局２０を識別する識別情報が同報送信される。また、基地局２０では、報知チャネルを使って、新たな基地局２０の増設通知や、各基地局２０から送信される各種情報の受信タイミングや読出方法に関する規定等を含む報知情報が同報送信される。
【００２３】
移動局装置１０では、所定のタイミングごとに、各基地局２０から送られてきた識別情報が受信され、識別情報の電波強度などに応じて１つの基地局２０が選択される。また、移動局装置１０では、１つの基地局２０が選択されると、その基地局２０に向けて、電話番号などの識別情報を含み、自装置の位置登録を依頼する登録要求が送信される。
【００２４】
基地局２０では、移動局装置１０から登録要求が送られてくると、ホームロケーションレジスタ３０に向けて、移動局装置１０が契約されているか否かを確認する認証問合せが送信される。
【００２５】
ホームロケーションレジスタ３０では、登録されている加入者情報の中から移動局装置１０の識別情報と合致するものが検索されて認証が行われる。認証結果は基地局２０に伝えられ、基地局２０において、移動局装置１０の位置登録が行われる。
【００２６】
さらに、基地局２０では、所定のタイミングごとに、ページングチャネルを使って、位置登録がなされた移動局装置１０に向けて発呼要求の有無が示されたページングデータが送信される。移動局装置１０では、所定のタイミングごとに、ページングデータが受信される。
【００２７】
また、ユーザデータを送受信する要求が発せられると、基地局２０と移動局装置１０との間で、データチャネルを使ってユーザデータの送受信が実行される。例えば、移動局装置１０で通話が行われるときには、移動局装置１０では、発呼要求が存在することを示すページングデータが受信されて発呼処理が実行される。そして、移動局装置１０では、ユーザが電話を取ると、発呼要求に対する応答信号が基地局２０に伝えられる。基地局２０では、応答信号が相手先の移動局装置が登録されている基地局２０に伝えられる。さらに、応答信号が相手先の移動局装置１０に伝えられることによって移動局装置間での通話が可能となり、データチャネルを使った音声データの送受信が開始される。
【００２８】
図３は、移動局装置１０の外観斜視図であり、図４は移動局装置１０のハードウェア構成図である。
【００２９】
図３に示すように、移動局装置１０は、互いに開閉する上部筐体１１と下部筐体１２とからなり、上部筐体１１には画像表示のためのＬＣＤ１１１、内部に小型スピーカが配備され耳にあてがわれて音声を聞き取るための送話口１１２が設けられている。
【００３０】
下部筐体１２には、ユーザによって操作され、この移動局装置１０を使って電話を掛けたり、電子メールを送信したり、各種設定を行ったりするための各種の操作キー１２１、ユーザの声をピックアップするマイクロホンが内蔵されそのマイクロホンに声を導くための受話口１２２、スピーカーが内蔵され耳にあてがわれなくても聞き取れる程度の音声を出力する放音口１２３、記録メディアが装填される装填口１２４が設けられている。
【００３１】
また、図４には、ＣＰＵ１０１、ＲＡＭ１０２、マイクデバイス１０３、スピーカデバイス１０４、カメラデバイス１０５、近距離無線デバイス１０６、メディアコントローラ１０７、ＲＯＭ１０８、不揮発メモリ１０９、ディスプレイデバイス１１０、キーデバイス１１３、時計１１４、遠距離通信デバイス１１５、およびアンテナ１１６が示されており、アンテナ１１６を除き、これらの間はバス１００を介して互いに接続されている。
【００３２】
ＣＰＵ１０１は、各種プログラムを実行し、この移動局装置１０の全体を制御している。
【００３３】
ＲＯＭ１０８には、ＣＰＵ１０１で実行される各種プログラムやそれら各種プログラムの実行に必要な各種定数が記憶されており、ＣＰＵ１０１は、ＲＯＭ１０８に記憶されたプログラムをＲＡＭ１０２を作業領域として使いながら実行する。
【００３４】
不揮発メモリ１０９には、アドレス帳や受信した電子メールなど、書き換えられることがありうる各種情報が記録されている。
【００３５】
マイクデバイス１０３は、ユーザの声をピックアップするマイクロホンおよびそのマイクロホンでピックアップされた声を処理するブロックである。
【００３６】
スピーカデバイス１０４は、ユーザに向けて音声を出力するスピーカ、およびそのスピーカを駆動する音声信号を生成するブロックである。
【００３７】
近距離無線デバイス１０６は、近距離にある外部装置に画像や電話番号などを基地局２０を介さずに送信するためのものであり、本実施形態においては、赤外線通信が採用されている。
【００３８】
カメラデバイス１０５は、写真撮影による画像データの収集を司るブロックであり、ディスプレイデバイス１１０は、ＬＣＤ１１１（図３参照）への画像表示を司るブロックであり、キーデバイス１１３は、ユーザによる各種操作キー１２１（図３参照）のキー操作を検出するブロックであり、時計１１４は、現在時刻を取得するためのブロックである。
【００３９】
メディアコントローラ１０７は、図３に示す装填口１２４に装填された記録メディア２００からデータを読み出したり、カメラデバイス１０５で生成された画像データ等を記録メディア２００に書き込むためのものである。
【００４０】
遠距離通信デバイス１１５は、アンテナ１１６を使った音声データや電子メールの送受信等を担っている。遠距離通信デバイス１１５では、基地局を介してデータの送受信が行われる。
【００４１】
以下では、移動局装置１０と基地局２０との間で行われる各種情報の送受信について説明する。
【００４２】
図５は、移動局の概略的な構成図であり、図６は、信号処理部３３０の構成図である。
【００４３】
図５に示すように、遠距離通信デバイス１１５には、アンテナ１１６を介してアナログの電波信号を送信する送信回路３１０と、アンテナ１１６を介してアナログの電波信号を受信する受信回路３２０と、信号の増幅や変復調を行う信号処理部３３０とが備えられており、さらに、信号処理部３３０には、信号の変調および復調を行う変復調処理部３３１と、各基地局２０から送られてくる識別情報の受信を制御するとともに、複数の基地局２０それぞれから送られてきた識別情報の電波強度に基づいて１つの基地局２０を選択するパイロットチャネル処理部３３２と、各基地局２０から送られてくるページングデータの受信を制御するページングチャネル処理部３３３と、各基地局２０から送られてくる報知情報の受信を制御する報知チャネル処理部３３４と、各基地局２０から送られてくるユーザデータの送受信を制御するデータチャネル処理部３３５とが備えられている。
【００４４】
また、図６に示すように、変復調処理部３３１には、受信回路３２０で受信されたアナログの電波信号をデジタル信号に復調したり、デジタル信号をアナログの電波信号に変調して送信回路３１０に伝える無線部４１０と、各基地局２０からパイロットチャネルを使って送られてくるデータ（識別情報）を受信するパイロットチャネル受信部４２１と、各基地局２０からページングチャネルを使って送られてくるデータ（ページングデータ）を受信するページングチャネル受信部４２２と、各基地局２０から報知チャネルを使って送られてくるデータ（報知情報）を受信する報知チャネル受信部４２３と、ページングチャネル処理部３３３からの指示に従って、所定のタイミング毎にページングデータを取得するページングチャネル受信部４２２と、各基地局２０からデータチャネルを使って送られてくるデータ（ユーザデータ、報知情報）を送受信するデータチャネル送受信部４２４とが備えられている。報知チャネル処理部３３４には、ＣＰＵ１０１からの指示に従って、報知情報を受信するタイミングを計測する報知チャネル受信部起動タイマ４３１と、報知情報などを保存しておく報知情報格納メモリ４３２とが備えられている。データチャネル処理部３３５とデータチャネル送受信部４２４とを合わせたものは、上述した移動局装置における第２のユーザデータ送受信部の一例にあたり、報知チャネル処理部３３４と報知チャネル受信部４２３とデータチャネル送受信部４２４とを合わせたものは、上述した移動局装置における報知情報受信部の一例に相当する。また、報知チャネル受信部起動タイマ４３１とＣＰＵ１０１とを合わせたものは、上述した移動局装置における更新時期管理部の一例に相当する。
【００４５】
図７は、基地局２０の概略的な構成図である。
【００４６】
基地局２０には、例えば、図示しないが、上位装置の一つであるＲＮＣ装置（無線ネットワーク制御装置）との間におけるデータ通信のインタフェースである有線伝送路インタフェース部５６０と、基地局２０全体を制御する制御部と、変調前あるいは復調後のデジタルデータに信号処理を施すベースバンド信号処理部５４０と、各種チャネルを使ってデータを送受信するデータ送受信部５７０と、データの変調および復調を行う無線部４１０と、送信信号を増幅する送信増幅部５２０と、アンテナ５１０とが備えられている。さらに、データ送受信部５７０には、所定時間毎にパイロットチャネルを使ってデータ（識別情報）を同報送信するパイロットチャネル送信部５７１と、所定時間毎にページングチャネルを使ってデータ（ページングデータ）を各移動局装置１０に向けて送信するページングチャネル送信部５７２と、所定時間毎に報知チャネルを使ってデータ（報知情報）を同報送信する報知チャネル送信部５７３と、各移動局装置１０に向けて、データチャネルを使ってデータ（ユーザデータ、報知情報）を送受信するデータチャネル送受信部５７４が備えられている。制御部５５０は、上述した基地局装置における更新時期管理部の一例にあたり、制御部５５０とデータチャネル送信部５７４とを合わせたものは、上述した基地局装置における第１のユーザデータ送受信部の一例にあたり、制御部５５０と報知チャネル送信部５７３とデータチャネル送受信部を合わせたものは、上述した基地局装置における報知情報送信部の一例に相当する。
【００４７】
ここで、各基地局２０では、所定時間ごとに、パイロットチャネルを使って識別情報が同報送信され、ページングチャネルを使って各移動局装置１０に向けてページングデータが送信され、報知チャネルを使って報知情報が同報送信されており、ユーザデータの送受信要求が発生した場合には、各移動局装置１０に向けてユーザデータが送受信される。しかし、各移動局装置１０において、識別情報、ページングデータ、および報知情報の全てを所定時間ごとに受信しようとすると、移動局装置１０の消費電力が増加してしまう。本実施形態においては、基地局２０から同報送信される報知情報に、次回の報知情報の次の更新時刻が含まれており、各移動局装置１０では、１度、報知情報を受信すると、次の更新時刻までの間は報知情報の受信が停止される。
【００４８】
図８は、報知情報のデータ構成の一例を示す図である。
【００４９】
図８に示すように、報知情報６００には、ネットワークの規格などが示されたＭＩＢ（Ｍａｓｔｅｒ  Ｉｎｆｏｒｍａｔｉｏｎ  Ｂｌｏｃｋ）６１０、更新時刻情報が付加された新たなデータ構成に対応しているか否かを示すフラグ６２０、次回の報知情報の更新予定時刻を示す更新時刻情報６３０、新たな基地局の増設や、各種情報の受信タイミングや読出方法に関する規定が示されたＳＩＢ（Ｓｙｓｔｅｍ  Ｉｎｆｏｒｍａｔｉｏｎ  Ｂｌｏｃｋ）６４１，６４２，６４３，６４４を含んでいる。
【００５０】
図９は、移動局装置１０における報知情報の受信タイミングを示すシーケンス図の一例である。
【００５１】
基地局２０の報知チャネル送信部５７３では、制御部５５０からの指示に従って、所定時間「ｔ１」ごとに、報知チャネルを使って報知情報６００が同報送信される（図９のステップＳ２１）。一例として、更新時刻情報６３０が「１２：００」である報知情報６００が同報送信されているものとして説明する。
【００５２】
移動局装置１０の報知チャネル受信部４２３では、報知チャネル処理部３３４からの指示に従って、報知チャネルを使って基地局２０から送信されてきた報知情報６００が受信される（図９のステップＳ１１）。報知情報６００は報知チャネル処理部３３４に伝えられ、報知情報格納メモリ４３２に保存されるとともに、ＣＰＵ１０１に伝えられる。
【００５３】
ＣＰＵ１０１は、報知情報６００中の更新時刻情報６３０を取得し、報知チャネル受信部起動タイマ４３１を起動して、取得された更新時刻情報６３０が示す更新予定時刻までの間、報知チャネル受信部４２３における報知情報の受信を停止させる（図９のステップＳ１２）。この例では、次の更新予定時刻が「１２：００」であるので、１２：００までの間は報知情報の受信が停止される。
【００５４】
更新予定時刻が到来すると、基地局２０の報知チャネル送信部５７３では、報知チャネルを使って、更新された新たな報知情報６００が同報送信される（図９のステップＳ２２）。この例では、図８のＳＩＢ６４１，６４２，６４３，６４４が更新されるとともに、更新時刻情報６３０が「１３：００」である新たな報知情報６００が同報送信される。
【００５５】
また、移動局装置１０では、更新予定時刻が到来すると、報知チャネル受信部起動タイマ４３１から報知チャネル受信部４２３に受信指示が伝えられ、報知チャネル受信部４２３によって新たな報知情報６００が受信される（図９のステップＳ１３）。
【００５６】
新たな報知情報６００が受信されると、報知情報格納メモリ４３２に保存されている報知情報が新たな報知情報６００に更新され、ＣＰＵ１０１において、新たな報知情報６００中の更新時刻情報６３０に基づいて報知チャネル受信部起動タイマ４３１が起動され、次の更新予定時刻までの間、報知チャネル受信部４２３における報知情報の受信が停止される。
【００５７】
このように、基地局２０において次回の更新予定時刻が含まれた報知情報を同報送信し、移動局装置１０では、報知情報を受信したら、その報知情報に含まれる更新予定時刻までの間は報知情報の受信を停止することによって、報知情報が更新されてから移動局装置１０で取得されるまでのタイムラグを抑えることができるとともに、移動局装置１０の消費電力を軽減することができる。
【００５８】
また、移動局装置１０でウェブ機能を利用したり、通話するときには、基地局２０のデータチャネル送受信部５７０によって、データチャネルを使ってユーザデータが送信され、移動局装置１０のデータチャネル送受信部４２４によって、データチャネルを使って送られてきたユーザデータが受信される。
【００５９】
移動局装置１０でデータチャネルを使った通信が行われている間に、報知情報の次の更新予定時刻が到来した場合、各基地局２０では、報知チャネル送信部５７３によって新たな報知情報２０が同報送信されるとともに、制御部５５０からの指示に従って、データチャネル送受信部５７０において、ユーザデータに新たな報知情報が付加され、データチャネルを使い、移動局装置１０に向けて、報知情報が付加されたユーザデータが送信される（図９のステップＳ２３）。
【００６０】
移動局装置１０では、データチャネル送受信部４２４において、報知情報が付加されたユーザデータが受信される（図９のステップＳ１５）。受信されたユーザデータは、データチャネル処理部３３５に伝えられてＣＰＵ１０１に送られるとともに、報知チャネル処理部３３４にも伝えられる。
【００６１】
報知チャネル処理部３３４では、ユーザデータに付加された新たな報知情報が報知情報格納メモリ４３２に保存されるとともに、ＣＰＵ１０１によって新たな報知情報中の更新時刻情報６３０に基づいて報知チャネル受信部起動タイマ４３１が起動される。
【００６２】
ここで、上述した基地局装置の基本形態に対して、
上記報知情報送信部は、報知情報を報知チャネルを使って同報送信するとともに、報知情報の更新時期が到来した時点でユーザデータの送受信期間中にある移動局装置に向けて、更新された報知情報を、移動局装置がユーザデータの送受信に利用しているデータチャネルを使って送信するものであるという応用形態は好ましく、
上述した移動局装置の基本形態に対し、
報知情報受信部は、ユーザデータの送受信期間中にユーザデータの送受信に利用しているデータチャネルを使った報知情報の送信があったときは、データチャネルを使って送信されてきた報知情報を受信するものであるという応用形態は好ましい。
【００６３】
報知情報の更新時期が到来した時点でユーザデータを送受信中である場合には、基地局において、ユーザデータに新たな報知情報を付加して送信し、移動局装置においては、データチャネルを使ってユーザデータとともに送信されてきた報知情報を取得することによって、移動局装置の消費電力を効率良く軽減することができるとともに、移動局装置側で更新後の報知情報を取得することができる。
【００６４】
また、実際には、移動局装置１０では、複数の基地局２０それぞれから同報送信されてきた各種情報が受信されている。
【００６５】
図１０は、複数の基地局２０それぞれから送られてきた報知情報の受信タイミングを示すシーケンス図である。
【００６６】
基地局２０＿１，２０＿２では、パイロットチャネル送信部５７１によって、所定時間ごとに、各基地局２０＿１，２０＿２それぞれを識別する識別情報がパイロットチャネルを使って同報送信される。
【００６７】
移動局装置１０では、各基地局２０＿１，２０＿２それぞれから送られてきた識別情報がパイロットチャネル受信部４２１によって受信され、パイロットチャネル処理部３３２において、基地局２０＿１，２０＿２のうち電波強度が高い基地局２０が選択される。この例では、まず、基地局２０＿１が選択されたものとして説明する。
【００６８】
基地局２０＿１が選択されると、移動局装置１０から基地局２０＿１に登録依頼が送信され、基地局２０＿１とのハンドオーバー処理が実行される。
【００６９】
移動局装置１０の報知チャネル受信部４２３では、報知チャネルを使って基地局２０＿１から送信されてきた報知情報６００が受信され（図１０のステップＳ３１）、報知情報６００中の更新時刻情報６３０が示す更新予定時刻までの間、次の報知情報の受信が停止される。この例では、次の更新予定時刻が「１２：００」であるので、１２：００までの間は報知情報の受信が停止される。
【００７０】
次の更新予定時刻が到来する前に、ユーザが移動局装置１０を持って移動し、基地局２０＿２から送られてくる識別情報の電波強度が高くなると（図１０のステップＳ３２）、パイロットチャネル処理部３３２において基地局２０＿２が選択され、基地局２０＿２との間でハンドオーバー処理が実行される。このとき、ＣＰＵ１０１からの指示に従って、報知チャネル受信部４２３では、報知チャネルを使って基地局２０＿２から送信されてきた報知情報６００が受信される（図１０のステップＳ３３）。さらに、取得された新たな報知情報６００も報知情報格納部４３２に保存され、新たな報知情報６００中の更新時刻情報６３０に基づいて、新たな基地局２０＿２用の報知チャネル受信部起動タイマ４３１が起動されて、次の更新予定時刻までの間、次の報知情報の受信が停止される。この例では、次の更新予定時刻が「１２：３０」であるので、１２：３０までの間は報知情報の受信が停止される。
【００７１】
また、はじめに選択されていた基地局２０＿１の電波強度が低くなると（図１０のステップＳ３４）、ＣＰＵ１０１からの指示に従って、基地局２０＿１とのハンドオーバー停止処理が実行され（図１０のステップＳ３５）、その基地局２０＿１用の報知チャネル受信部起動タイマ４３１がリセットされるとともに、報知情報格納メモリ４３２に保存されている基地局２０＿１の報知情報が消去される。
【００７２】
新たに選択された基地局２０＿２から送られてくる報知情報の更新予定時刻に達すると、報知チャネル受信部４２３において、基地局２０＿２から送信されてきた新たな報知情報６００が受信される（図１０のステップＳ３６）。
【００７３】
ここで、上述した移動局装置の基本形態に対し、
この移動局装置が、第１の基地局装置が担当する第１のエリアから第２の基地局装置が担当する第２のエリアに移動したことを検出するエリア移動検出部を備え、
報知情報受信部は、第２のエリアへの移動が検出されたことを受けて、更新時期管理で管理されている報知情報の次回の更新時期の到来を待たずに、第２の基地局装置から送信されてきた報知情報の受信を行うものであるという応用形態は好ましい。
【００７４】
第１のエリアから第２のエリアへの移動を検出し、保存されている報知情報の次回の更新時期を待たずに、第２の基地局装置から送られてくる報知情報を受信することによって、新たなエリア用の新しい報知情報を取得することができる。パイロットチャネル処理部３３２は、この移動局装置の応用形態におけるエリア移動検出部の一例に相当する。
【００７５】
以上のように、本実施形態によると、報知情報が更新されてから移動局装置で取得されるまでの間のタイムラグを軽減することができるとともに、移動局装置の消費電力を抑えることができ、連続持続時間を向上させることができる。また、移動局装置のエリアが切り替わったときでも、新たなエリアの報知情報を取得することができる。
【００７６】
第２実施形態について説明する。第２実施形態は、ユーザデータ送受信中における報知情報の受信タイミングが第１実施形態とは異なるが、第１実施形態と同様の構成を有しているため、第１実施形態との相違点についてのみ説明する。
【００７７】
図１１は、第２実施形態における報知情報の受信タイミングを示すシーケンス図である。
【００７８】
基地局２０の報知チャネル送信部５７３によって報知チャネルを使って報知情報６００が同報送信されると、移動局装置１０の報知チャネル受信部４２３では、報知情報６００が受信される（図１１のステップＳ４１）。報知情報６００は報知情報格納メモリ４３２に保存されるとともに、ＣＰＵ１０１に伝えられる。
【００７９】
ＣＰＵ１０１では、報知情報６００中の更新時刻情報６３０に基づいて報知チャネル受信部起動タイマ４３１が起動され、その更新時刻情報６３０が示す更新予定時刻までの間、報知チャネル受信部４２３における報知情報の受信を停止させる（図１１のステップＳ４２）。この例では、次の更新予定時刻が「１２：００」であるので、１２：００までの間は報知情報の受信が停止される。
【００８０】
移動局装置１０を使ってウェブ機能や通話機能が利用される場合、基地局２０のデータチャネル送受信部５７０によって、データチャネルを使ってユーザデータが送信され、移動局装置１０のデータチャネル送受信部４２４によって、データチャネルを使って送られてきたユーザデータが受信される。
【００８１】
移動局装置１０でデータチャネルを使った通信が行われている間に、報知情報の次の更新予定時刻が到来した場合、移動局装置１０では、データチャネルを利用したユーザデータの送受信が終了するまでの間、報知情報の受信が待機され、ユーザデータの送受信が終了した後で報知チャネルを使って同報送信されてきた新たな報知情報が報知チャネル受信部４２３によって受信される（図１１のステップＳ４３）。
【００８２】
ここで、上述した移動局装置の基本形態に対して、
上記報知情報受信部は、第２のユーザデータ送受信部によるユーザデータの送受信期間中に報知情報の次回の更新時期が到来したときは、第２のユーザデータ送受信部によるユーザデータの送受信期間の終了を待って、新たな報知情報の受信を行うものであってもよい。
【００８３】
移動局装置側で、ユーザデータの送受信が終了してから新たな報知情報の受信を行うことによって、基地局側におけるデータの送信タイミング等の変更を抑えることができ、現在の通信システムを効率良く利用することができる。
【００８４】
以上のように、本実施形態においても、移動局装置１０側で報知情報を定期的に受信する処理を省くことができ、移動局装置１０の消費電力を抑えて、報知情報を取得することができる。
【００８５】
第３実施形態について説明する。第３実施形態は、ユーザデータ送受信中における報知情報の受信方法が第１実施形態とは異なるが、第１実施形態と同様の構成を有しているため、第１実施形態との相違点についてのみ説明する。
【００８６】
図１２は、第３実施形態における報知情報の受信タイミングを示すシーケンス図である。
【００８７】
基地局２０から報知チャネルを使って同報送信されてきた報知情報６００は、移動局装置１０の報知チャネル受信部４２３において受信され（図１２のステップＳ５１）、報知情報格納メモリ４３２に保存されるとともに、ＣＰＵ１０１に伝えられる。
【００８８】
報知情報６００が取得されると、ＣＰＵ１０１によって報知チャネル受信部起動タイマ４３１が起動され、報知情報６００中の更新時刻情報６３０が示す更新予定時刻までの間、報知チャネル受信部４２３における報知情報の受信が停止される（図１２のステップＳ５２）。
【００８９】
移動局装置１０でデータチャネルを使ったユーザデータの送受信が行われている間に、報知情報の次の更新予定時刻が到来した場合、移動局装置１０では、データチャネル送受信部４２４によってデータチャネルを利用したユーザデータの送受信を続けたまま、報知チャネル受信部４２３において、報知チャネルを使って同報送信されてきた新たな報知情報が受信される（図１２のステップＳ５３）。
【００９０】
ここで、上述した移動局装置の基本形態に対して、
上記報知情報受信部は、第２のユーザデータ送受信部によるユーザデータの送受信期間中に報知情報の次回の更新時期が到来したときであっても、第２のユーザデータ送受信部によるユーザデータの送受信と並列して新たな報知情報の受信を行うものであってもよい。
【００９１】
データチャネルを使ったデータの送受信と並列して、報知チャネルを使ったデータの受信を実行可能な移動局装置においては、ユーザデータ送受信中であっても、報知情報を受信することができ、報知情報が更新されてから移動局装置で取得されるまでの時間を抑えることができる。
【００９２】
ここで、上記では、上述した移動局装置の一例として携帯電話機が示されているが、この移動局装置は、ＰＤＡ（Ｐｅｒｓｏｎａｌ  Ｄｉｇｉｔａｌ  Ａｓｓｉｓｔａｎｔ）や、携帯型のゲーム機などであってもよい。
【図面の簡単な説明】
【００９３】
【図１】基地局から発せられたページングデータが移動局装置で受信されるシーケンスを示す図である。
【図２】移動局装置および基地局装置を含む通信システムの概略構成図である。
【図３】移動局装置の外観斜視図である。
【図４】移動局装置のハードウェア構成図である。
【図５】図４に示す遠距離通信デバイスの概略的な構成図である。
【図６】信号処理部の構成図である。
【図７】基地局の概略的な構成図である。
【図８】報知情報のデータ構成図である。
【図９】移動局装置における報知情報の受信タイミングを示すシーケンス図である。
【図１０】複数の基地局それぞれから送られてきた報知情報の受信タイミングを示すシーケンス図である。
【図１１】第２実施形態における報知情報の受信タイミングを示すシーケンス図である。
【図１２】第３実施形態における報知情報の受信タイミングを示すシーケンス図である。
【符号の説明】
【００９４】
１０    移動局装置
１１    上部筐体
１２    下部筐体
２０    基地局
３０    ホームロケーションレジスタ
１０１    ＣＰＵ
１０２    ＲＡＭ
１０３    マイクデバイス
１０４    スピーカデバイス
１０５    カメラデバイス
１０６    近距離無線デバイス
１０７    メディアコントローラ
１０８    ＲＯＭ
１０９    不揮発メモリ
１１０    ディスプレイデバイス
１１１    ＬＣＤ
１１２    送話口
１１３    キーデバイス
１１４    時計
１１５    遠距離通信デバイス
１１６    アンテナ
１２１    操作キー
１２２    受話口
１２３    放音口
１２４    装填口
３１０    送信回路
３２０    受信回路
３３０    信号処理部
３３１    変復調処理部
３３２    パイロットチャネル処理部
３３３    ページングチャネル処理部
３３４    報知チャネル処理部
３３５    データチャネル処理部
４１０    無線部
４２１    パイロットチャネル受信部
４２２    ページングチャネル受信部
４２３    報知チャネル受信部
４２４    データチャネル送受信部
４３１    報知チャネル受信部起動タイマ
４３２    報知情報格納メモリ
【図１】
2010074372.tif 000003
【図２】
2010074372.tif 000004
【図３】
2010074372.tif 000005
【図４】
2010074372.tif 000006
【図５】
2010074372.tif 000007
【図６】
2010074372.tif 000008
【図７】
2010074372.tif 000009
【図８】
2010074372.tif 000010
【図９】
2010074372.tif 000011
【図１０】
2010074372.tif 000012
【図１１】
2010074372.tif 000013
【図１２】
2010074372.tif 000014